(57)【要約】【課題】  取付け作業が容易で、出入の際に障害にならず、かつ防水性に優れたドア枠の取付け構造および取付け方法を提供すること。【解決手段】  壁パネル１１ａを設置するための立上げ部２２ｂが周縁部に沿って設けられた防水パン２２にドア枠取付け用の切欠き部２２ｃを設け、この切欠き部２２ｃに、ドア枠３０の下枠２３と、縦枠の下部を構成する縦枠下部２４，２５とを一体的に構成してなる枠下部２６を、水密状態で設置した。そして、縦枠下部２４，２５の上部に設けられた凹部２４ａ，２５ａに、連結部材２７の突部２７ａを取付け、連結部材２７の突部２７ｃに縦枠上部２８，２９の凹部を係合させた。また、下枠２３の上面、床面２２ａおよび床面３３の高さを略等しく設定した。さらに、下枠２３における浴室１０の外側部分に防水用の排水溝３４を設けた。【選択図】  図２
2005090114.tif 000002
【特許請求の範囲】
【請求項１】
浴室のドアを取り付けるためのドア枠における下枠と縦枠とを取り付けるドア枠の取付け構造であって、
壁パネルを設置するための立上げ部が周縁部に沿って設けられた防水パンと、
前記防水パンの立上げ部に設けられたドア枠取付け用の切欠き部と、
前記下枠と前記縦枠の下部を構成する縦枠下部とからなり、前記切欠き部に水密状態で設置される枠下部と、
前記縦枠下部の上方に設置される縦枠上部と、
前記縦枠下部の上端部と前記縦枠上部の下端部とを連結する連結部材と
を備えたことを特徴とするドア枠の取付け構造。
【請求項２】
前記下枠と前記縦枠下部とからなる前記枠下部が一体的に構成されている請求項１に記載のドア枠の取付け構造。
【請求項３】
前記縦枠下部の上端部と前記縦枠上部の下端部とにそれぞれ係合用の凹部が設けられ、前記連結部材が、前記両凹部と係合可能な突部を備えている請求項１または２に記載のドア枠の取付け構造。
【請求項４】
前記枠下部における下枠の上面と前記防水パンの床面との隣接部分の高さが略等しく設定され、前記下枠に防水用の堰または排水溝が設けられている請求項１ないし３のうちのいずれか一つに記載のドア枠の取付け構造。
【請求項５】
壁パネルを設置するための立上げ部が周縁部に沿って設けられているとともに、前記立上げ部にドア枠取付け用の切欠き部が設けられた防水パンの前記切欠き部に、ドア枠の下枠と、縦枠の下部を構成する縦枠下部とからなる枠下部を、水密状態で設置する枠下部設置工程と、
前記縦枠下部の上部に連結部材を取り付ける連結部材取付け工程と、
前記連結部材の上部に縦枠上部を取り付ける縦枠上部取付け工程と
を備えたドア枠の取付け方法であって、
前記枠下部設置工程が工場等において予め行われ、前記連結部材取付け工程および前記縦枠上部取付け工程が前記ドア枠を組み立てる施工現場において行われることを特徴とするドア枠の取付け方法。
【発明の詳細な説明】
【技術分野】
【０００１】
本発明は、浴室のドアを取り付けるためのドア枠の取付け構造および取付け方法に関する。
【背景技術】
【０００２】
従来から、例えば、ユニット型の浴室の出入口には、防水機能を備えたドアが設置されており、このドアは、ドア枠に開閉可能な状態で取り付けられている。ドア枠は、下枠と、下枠の両端から上方に延びる両側の縦枠と、縦枠の上端に架け渡される上枠とからなる四角の枠体で構成されている。そして、下枠は、浴室内の水が浴室外に流れることを防止するために、浴室内側が低く、浴室外側が高くなるように構成されている（例えば、特許文献１参照。）。
【０００３】
このドア枠の取付け構造では、下枠が、浴室の防水パン側に設けられる内部側部分と、浴室外の脱衣室側に設けられる外部側部分とで構成されている。そして、外部側部分が係合部を介して内部側部分に上下に位置調節可能な状態で取り付けられている。このため、浴室の防水パンの床面と脱衣室の床面との高さに差が生じていても、下枠を調節することにより、取付けが可能になっている。
【特許文献１】特開平７−５４５４８号公報
【発明の開示】
【０００４】
しかしながら、前述した従来のドア枠の取付け構造では、浴室の施工現場において、浴室の防水パンと脱衣室とを設置したのちに、下枠を高さ調節しながら防水パンと脱衣室とに取り付けるため取付け作業が煩雑であるという問題がある。また、浴室の防水パンの床面と脱衣室の床面との間の高さに差がある場合には、浴室内への出入の際に障害になるという問題がある。さらに、浴室の防水パンの床面と脱衣室の床面との間の高さに差がない場合には、浴室内の湯や水が脱衣室側に流れ易くなり防水上での問題が生じる。
【０００５】
本発明は、上記問題に対処するためになされたもので、その目的は、取付け作業が容易で、出入の際に障害にならず、かつ防水性に優れたドア枠の取付け構造および取付け方法を提供することである。
【０００６】
上記の目的を達成するため、本発明にかかるドア枠の取付け構造の構成上の特徴は、浴室のドアを取り付けるためのドア枠における下枠と縦枠とを取り付けるドア枠の取付け構造であって、壁パネルを設置するための立上げ部が周縁部に沿って設けられた防水パンと、防水パンの立上げ部に設けられたドア枠取付け用の切欠き部と、下枠と縦枠の下部を構成する縦枠下部とからなり切欠き部に水密状態で設置される枠下部と、縦枠下部の上方に設置される縦枠上部と、縦枠下部の上端部と縦枠上部の下端部とを連結する連結部材とを備えたことにある。
【０００７】
前記のように構成した本発明のドア枠の取付け構造では、ドア枠を構成する下枠と縦枠の下部である縦枠下部とを枠下部として構成している。そして、この枠下部を防水パンの立上げ部に設けられた切欠き部に水密状態で設置している。このため、防水パンと枠下部との間の防水が確実に行える。また、枠下部に縦枠の下部を構成する縦枠下部が含まれており、この縦枠下部と、縦枠の上部を構成する縦枠上部との連結が連結部材を介して行われるため、ドア枠の組付け作業が容易になる。この場合、枠下部と縦枠上部との連結部が、防水パンよりも高い位置になるため、この部分に防水機構を設ける必要がなくなり施工が容易になる。
【０００８】
また、本発明にかかるドア枠の取付け構造の他の構成上の特徴は、下枠と縦枠下部とからなる枠下部が一体的に構成されていることにある。これによると、下枠と縦枠との間は接続部のない連続した部分になるため、より防水効果が優れたものになる。また、枠下部が一体であるため、防水パンとの接続が容易になるとともに、接続部の強度が向上する。
【０００９】
また、本発明にかかるドア枠の取付け構造のさらに他の構成上の特徴は、縦枠下部の上端部と縦枠上部の下端部とにそれぞれ係合用の凹部が設けられ、連結部材が、両凹部と係合可能な突部を備えていることにある。これによると、縦枠下部と縦枠上部との連結が、縦枠下部の凹部に連結部材の突部を係合させ、その状態の連結部材の開放側の突部に縦枠上部の凹部を係合させるだけで行えるため、縦枠上部の枠下部への取付け作業が容易である。この場合、連結部材に、下面が縦枠下部の上端面と接触し、上面が縦枠上部の下端面と接触する位置決め用のフランジ部を形成することができる。これによると、縦枠下部と縦枠上部との両凹部内に取り付けられる連結部材の位置が一定になり、精度のよい連結構造が構成される。
【００１０】
また、本発明にかかるドア枠の取付け構造のさらに他の構成上の特徴は、枠下部における下枠の上面と防水パンの床面との隣接部分の高さが略等しく設定され、下枠に防水用の堰または排水溝が設けられていることにある。これによると、浴室の防水パンの床面と下枠との高さが同程度になり、下枠が浴室への出入りの際の障害になることがない。これによって、老人や障害者も浴室への出入りが容易になる。また、下枠には防水用の堰や排水溝を設けることができ、これによって、浴室内から外部に水が流れることを防止できる。さらに、ドア枠に取り付けられるドアの下端部には、下枠との間をシールするためのシール部を設けることが好ましい。
【００１１】
本発明にかかるドア枠の取付け方法の構成上の特徴は、壁パネルを設置するための立上げ部が周縁部に沿って設けられているとともに、立上げ部にドア枠取付け用の切欠き部が設けられた防水パンの切欠き部に、ドア枠の下枠と縦枠の下部を構成する縦枠下部とからなる枠下部を、水密状態で設置する枠下部設置工程と、縦枠下部の上部に連結部材を取り付ける連結部材取付け工程と、連結部材の上部に縦枠上部を取り付ける縦枠上部取付け工程とを備えたドア枠の取付け方法であって、枠下部設置工程が工場等において予め行われ、連結部材取付け工程および縦枠上部取付け工程がドア枠を組み立てる施工現場において行われることにある。
【００１２】
本発明にかかるドア枠の取付け方法によれば、防水パンの切欠き部に枠下部を設置する枠下部設置工程がドア枠を組み立てる施工現場でなく工場等において予め行われる。したがって、施工に、作業者の熟練度によるばらつきが生じなくなり、一定の精度によるドア枠の取付けが可能になる。また、施工現場でのドア枠の取付け作業が、壁パネルの取付け作業と同レベルの容易な作業に軽減される。さらに、防水パンに反りが生じて、枠下部との間に隙間が生じても、工場等で修正作業が行えるため、施工現場で修正作業を行う場合と比較すると、大幅に労力等が軽減される。なお、この場合の工場等とは、工場に限らず、所定の設備を備えた施設であればよい。
【発明を実施するための最良の形態】
【００１３】
以下、本発明の一実施形態を図面を用いて説明する。図１は、同実施形態にかかるドア枠の取付け構造２０を備えた浴室１０を示している。この浴室１０では、浴室１０と脱衣室（図示せず）とを仕切る壁パネル１１ａにドア２１が設けられており、壁パネル１１ａに対向する部分にも壁パネル（図示せず）が設けられている。そして、壁パネル１１ａの左右の縁部には、壁パネル１１ｂと壁パネル１１ｃとが連結されており、防水パン２２における図１中手前側に浴槽１２が設置されている。また、壁パネル１１ａ等の各壁パネルの上端には、天井パネル（図示せず）が掛け渡されている。
【００１４】
防水パン２２の上面における壁パネル１１ｂに沿った部分にカウンター１３が設けられ、壁パネル１１ｂにおけるカウンター１３の上方に棚１４や鏡１５が設けられている。また、カウンター１３の上面における浴槽１２側部分には、浴槽１２内に湯や水を取り出したり、カウンター１３で使用する湯や水を取り出したりするための水栓１６が設けられ、カウンター１３の側面における壁パネル１１ａ側部分には、シャワー１７が設けられ、その先端部が壁パネル１１ａに設けられた支持部１８に着脱可能に取り付けられている。また、壁パネル１１ａには、手摺１９も設けられている。
【００１５】
ドア取付け構造２０は、図２に示した、防水パン２２、下枠２３と縦枠下部２４，２５とで構成される枠下部２６、一対の連結部材２７および一対の縦枠上部２８，２９等の各部材で構成され、ドア２１を開閉可能な状態で支持する。防水パン２２は、床面２２ａと、壁パネル１１ａ等を取り付けるための立上げ部２２ｂ等で構成されている。そして、立上げ部２２ｂにおける枠下部２６等で構成されるドア枠３０が取り付けられる部分には、切欠き部２２ｃが形成されている。
【００１６】
この切欠き部２２ｃの底部２２ｄの高さは、床面２２ａの高さよりも低く設定され、床面２２ａとの間に段差が設けられている。また、床面２２ａのドア２１側部分の高さは、浴槽１２側部分の高さよりもやや高く設定されている。このため、床面２２ａ上の湯や水は、浴槽１２の近傍に設けられた排水口（図示せず）に向って流れるようになっている。
【００１７】
枠下部２６の下枠２３は、ドア枠３０の下枠部を構成し、縦枠下部２４，２５は下枠２３の両端部から上方に延びて、ドア枠３０の縦枠部の下部側部分を構成する。この枠下部２６は、断面が略四角枠状のアルミ製管状体の両端側部分を加工して上方に曲げた形状であり、脱衣室側への突出部が形成されているとともに、幅が防水パン２２の切欠き部２２ｃに設置できる長さに設定されている。また、枠下部２６を切欠き部２２ｃに設置したときの下枠２３の上面の高さは、床面２２ａの高さと同程度になるように設定されている。また、縦枠下部２４，２５の上端面には、それぞれ係合用の凹部２４ａ，２５ａが開口し、縦枠下部２４，２５の前側面の上部側には、それぞれねじ挿通穴２４ｂ，２５ｂが設けられている。
【００１８】
一対の連結部材２７は、ともにプラスチックの射出成形体からなる同一の部材で構成されており、下部が凹部２４ａ，２５ａ内に差し込むことのできる突部２７ａに形成され、突部２７ａの上端に四角形のフランジ部２７ｂが形成されている。そして、フランジ部２７ｂの上面に、突部２７ａと同形の突部２７ｃが形成されている。連結部材２７の突部２７ａをそれぞれ凹部２４ａ，２５ａ内に差し込むと、フランジ部２７ｂの周面と縦枠下部２４，２５のそれぞれ対応する周面とが同一面上に位置するように設定されている。
【００１９】
縦枠上部２８，２９は、ともにアルミの押出し材からなる同一形状の四角管状体で構成されており、内部に空間部２８ａ，２９ａが形成され、その下端部が係合用の凹部として開口（図示せず）している。また、縦枠上部２８，２９の前側面の下部側には、それぞれねじ挿通穴２８ｂ，２９ｂが設けられている。縦枠上部２８，２９の凹部には、それぞれ連結部材２７の突部２７ｃを差し込むことができ、縦枠下部２４，２５に取り付けられた連結部材２７に縦枠上部２８，２９を取り付けることにより、縦枠下部２４，２５と縦枠上部２８，２９とをそれぞれ連結して一対の縦枠部を構成することができる。
【００２０】
また、その際、ねじ挿通穴２４ｂ，２５ｂ，２８ｂ，２９ｂにそれぞれねじ３１を通し、連結部材２７に捩じ込むことにより、連結部材２７を介して縦枠下部２４，２５と対応する縦枠上部２８，２９とをそれぞれ固定することができる。また、縦枠上部２８，２９の上端部には、上枠（図示せず）が取り付けられる。そして、枠下部２６等で構成されるドア枠３０にドア２１が取り付けられる。このドア２１の下端部には、図３に示したように、防水用のシール部材３２が取り付けられて、浴室１０内の水が外部に流れることを防止する。また、枠下部２６には、排水溝３４が設けられて、下枠２３を越えて流れようとする水を排水するようになっている。
【００２１】
ドア２１は、折り畳みが可能な左右二枚の樹脂ガラス戸で構成され、壁パネル１１ｃ側の縁部に設けられた軸部（図示せず）を中心として、図示の右側の樹脂ガラス戸は回転可能になっている。また、左側の樹脂ガラス戸の壁パネル１１ｂ側の縁部は下枠２３または下枠２３の近傍に設けられたレール（図示せず）に沿って移動可能になっている。そして、二枚の樹脂ガラス戸の接続縁部が、壁パネル１１ｂ側の縁部の移動に伴って浴室１０内に進退するように構成され、この接続縁部の進退によって、ドア２１が開閉する。
【００２２】
このように構成されたドア枠の取付け構造２０の取付けは、つぎのようにして行われる。まず、製造工場において、射出成形、押出し加工、その他の各種加工を行うことによって浴室１０を構成する各部材の製造が行われる。そして、防水パン２２の切欠き部２２ｃに枠下部２６を取り付ける。この取付けは、接着材やシール材等を用いて防水パン２２と枠下部２６との間に隙間が生じないようにして行い、取付け後には、目視等による検査を行う。取付け箇所等に不良や欠陥がなければ、枠下部２６が取り付けられた防水パン２２を他の部材とともに工場から出荷する。また、取付け箇所に不良や欠陥が生じていれば、工場内で修正作業が行われる。
【００２３】
浴室１０を組付ける施工現場においては、まず、枠下部２６が取り付けられた防水パン２２を所定の場所に設置する。この防水パン２２は、脱衣室に隣接する場所に、床面２２ａが脱衣室の床面３３と略同じ高さになるようにして設置され、枠下部２６には、排水溝３４を設けておく。つぎに、浴槽１２を防水パン２２上に設置して、壁パネル１１ａ等の各壁パネルを、防水パン２２の立上げ部２２ｂに順次取り付ける。そして、壁パネル１１ａに形成されたドア枠取付け用の開口にドア枠３０を組付ける作業が行われる。
【００２４】
この場合、まず、枠下部２６に縦枠上部２８，２９を組付ける作業が行われ、連結部材２７の突部２７ａを縦枠下部２４，２５の凹部２４ａ，２５ａ内にそれぞれ差し込む。そして、連結部材２７の突部２７ｃの上方からそれぞれ対応する縦枠上部２８，２９を下降させることにより、縦枠上部２８，２９の空間部２８ａ，２９ａの下端部に突部２７ｃを差し込ませる。つぎに、ねじ挿通穴２４ｂ等にそれぞれねじ３１を通し、ねじ３１を連結部材２７に捩じ込むことにより、縦枠下部２４，２５と対応する縦枠上部２８，２９とをそれぞれ固定する。そして、縦枠上部２８，２９の上端部に上枠を取り付けることによりドア枠３０が形成される。
【００２５】
ついで、ドア枠３０にドア２１を取付け、壁パネル１１ａ等の各壁パネルの上端部に天井パネルを取り付ける。そして、棚１４、鏡１５、水栓１６、シャワー１７などの各部材を所定の場所に取り付けるとともに、水道管等の配管を接続することにより、浴室１０を組み立てることができる。
【００２６】
このように構成された浴室１０で入浴する際には、予め、浴槽１２内に適温に調節された湯を溜めておく。そして、入浴者は、脱衣室で衣服を脱いだのち、ドア２１を開けて浴室１０内に入る。この場合、ドア２１の中心部分を浴室１０内に押すことによりドア２１は壁パネル１１ｃ側に折り畳まれて出入口が開口する。また、浴室１０内に入る際には、脱衣室の床面３３と床面２２ａとが殆ど同じ高さになっているため、障害になることがない。したがって、楽な姿勢で浴室１０内に入ることができる。
【００２７】
また、浴室１０内に入ると、ドア２１の取っ手を引くようにして、ドア２１を閉める。これによって、ドア２１のシール部材３２が下枠２３の上面に密着し、床面２２ａの湯や水が脱衣室側に流れることが防止される。したがって、浴槽１２の湯やカウンター１３で使用した湯や水が床面２２ａに流れても、その湯や水は脱衣室側に流れることなく、床面２２ａに設けられた排水口から排水される。仮に、湯や水が、シール部材３２と下枠２３との間に浸入しても排水溝３４から外部に排水されるため、脱衣室の床面３３側に流れることは防止される。また、床面２２ａの周囲における下枠２３以外の部分には、立上げ部２２ｂが設けられているため防水機構を設ける必要はない。
【００２８】
このように、本発明にかかるドア枠の取付け構造２０では、ドア枠３０を構成する下枠２３と縦枠の下部である縦枠下部２４，２５とを枠下部２６として一体的に構成している。そして、この枠下部２６を防水パン２２に設けられた切欠き部２２ｃに水密状態で設置している。このため、防水パン２２と枠下部２６との間の防水が確実に行える。また、この枠下部２６の防水パン２２への取付けが、施工現場でなく工場において行われる。したがって、施工に、作業者の熟練度によるばらつきが生じなくなり、一定の精度による取付けが可能になる。また、その取付け作業も労力が軽減された容易なものになる。さらに、取付け箇所等に不良が生じても、工場で容易にその修正作業が行える。
【００２９】
また、縦枠上部２８，２９の枠下部２６への取付けは、枠下部２６の縦枠下部２４，２５に設けられた凹部２４ａ，２５ａに連結部材２７の突部２７ａを差し込み、その状態の連結部材２７の突部２７ｃに縦枠上部２８，２９の凹部を係合させる。そして、各ねじ挿通穴２４ｂ等にそれぞれねじ３１を通し、連結部材２７に捩じ込むだけで行えるため、縦枠上部２８，２９の枠下部２６への取付け作業が容易である。また、連結部材２７には、フランジ部２７ｂが設けられているため、連結部材２７を縦枠下部２４，２５と縦枠上部２８，２９との間で一定の位置に位置決めすることができ、精度のよい連結構造が構成される。
【００３０】
また、下枠２３の上面、床面２２ａおよび脱衣室の床面３３の高さが略等しく設定されているため、下枠２３が浴室１０への出入りの際の障害になることがなく、楽な姿勢での浴室１０への出入りが可能になる。これによって、老人や障害者も浴室への出入りが容易になる。さらに、ドア２１の下端部に、シール部材３２が取り付けられているとともに、下枠２３に排水溝３４が設けられているため、床面２２ａから外部に水が流れることを確実に防止できる。
【００３１】
また、本発明によるドア枠の取付け構造は、前述した実施形態以外についても技術的範囲内で適宜変更実施が可能である。例えば、前述した実施形態では、下枠２３に排水溝３４を設けているが、これに代えて、上方に向かって僅かに突出した堰を設けることもできる。これによっても、床面２２ａから外部に水が流れることを防止できる。さらに、前述した実施形態では、枠下部２６を一体的に構成しているが、下枠２３と、縦枠下部２４，２５とを別体で構成し、これらを組み付けてもよい。この場合も各部材間は水密的に連結される。また、その他の部分の構成についても、前述した実施形態に限定することなく、使用する材料、製造方法、形状や大きさ等を適宜変更して実施することができる。
【図面の簡単な説明】
【００３２】
【図１】本発明にかかるドア枠の取付け構造を備えた浴室を示した斜視図である。
【図２】本発明にかかるドア枠の取付け構造を分解した状態を示した分解斜視図である。
【図３】シール部材と排水溝とを示した断面図である。
【符号の説明】
【００３３】
１０…浴室、１１ａ，１１ｂ，１１ｃ…壁パネル、２０…ドア枠の取付け構造、２１…ドア、２２…防水パン、２２ａ，３３…床面、２２ｂ…立上げ部、２２ｃ…切欠き部、２２ｄ…底部、２３…下枠、２４，２５…縦枠下部、２４ａ，２５ａ…凹部、２６…枠下部、２７…連結部材、２７ａ，２７ｃ…突部、２８，２９…縦枠上部、２８ａ，２９ａ…空間部、３０…ドア枠、３２…シール部材、３４…排水溝。
【図１】
2005090114.tif 000003
【図２】
2005090114.tif 000004
【図３】
2005090114.tif 000005